(57)【要約】【課題】  モルタルによるかさ木ブロックとその下方のブロックとの結合強度を高めることができ、かつ、粗悪な施工の発生の抑止効果を得ることができるかさ木ブロックを提供すること。【解決手段】  ブロック塀の上端部に設置され、その下方に配置された化粧ブロック１の横筋部との間にモルタル５を充填して接着されるかさ木ブロック２であって、化粧ブロック１の横筋部に対向されるかさ木ブロック２の底面に、モルタル５の充填用のモルタル用溝２ｃを複数形成した。【選択図】            図１
2007070876.tif 000002
【特許請求の範囲】
【請求項１】
ブロック塀の上端部に設置され、その下方に配置されたブロックの横筋部との間にモルタルを充填して接着されるかさ木ブロックであって、
前記ブロックの横筋部に対向されるかさ木ブロックの底面に、前記モルタルの充填用のモルタル用溝を形成したことを特徴とするかさ木ブロック。
【請求項２】
前記かさ木ブロック底面の長手方向に直交する幅方向の両側部に、前記ブロック横筋部に対向し、このブロック横筋部との間に横目地モルタルが充填される横目地部が設けられ、
この横目地部に、前記モルタル用溝が形成されていることを特徴とする請求項１に記載のかさ木ブロック。
【請求項３】
前記かさ木ブロック底面において、前記横目地部の間に位置する底面中央部に、かさ木上方へ向かってくぼんだ形状のくぼみ部が形成され、
このくぼみ部に、前記モルタル用溝が形成されていることを特徴とする請求項１または請求項２に記載のかさ木ブロック。
【請求項４】
前記モルタル用溝が、かさ木ブロックの長手方向に沿って形成されていることを特徴とする請求項１〜請求項３のいずれか１項に記載のかさ木ブロック。
【請求項５】
前記モルタル用溝は、２面以上の面で囲まれた多角形断面形状に形成されていることを特徴とする請求項１〜４のいずれか１項に記載のかさ木ブロック。
【請求項６】
前記くぼみ部の一端が、かさ木ブロックの長手方向一端面まで形成され、一方、前記くぼみ部の他端が、かさ木ブロックの他端面に現れないよう前記他端面の手前に配置されていることを特徴とする請求項１〜請求項５のいずれか１項に記載のかさ木ブロック。
【発明の詳細な説明】
【技術分野】
【０００１】
この発明は、ブロック塀の最上部に設置するかさ木ブロックに関するものである。
【背景技術】
【０００２】
従来、ブロック塀などでは、最上段のブロックの横筋部（天端）を覆ってかさ木ブロックを設置し、ブロック横筋部から雨水などが内部に浸透するのを防ぐことが行われている。
【０００３】
このようなかさ木ブロックを、その下方のブロックに固定するにあたり、従来、取付金具を用いる技術（例えば、特許文献１参照）や、モルタルを用いる技術（例えば、特許文献２参照）などが知られている。
【特許文献１】特開平１１−３０３４６１号公報
【特許文献２】特開平８−１３６４７号公報
【発明の開示】
【発明が解決しようとする課題】
【０００４】
上述の従来技術のうちで、後者の、モルタルを用い、かさ木ブロック底面と、その下方のブロック横筋部との間にモルタルを充填する技術は、取付金具が不要であり、汎用性に優れているが、下記の解決すべき課題があった。
【０００５】
このように、モルタルのみでかさ木ブロックとその下方のブロックとを結合させる構造では、その施工技術により耐久性に差が生じる。
【０００６】
すなわち、一般に、かさ木ブロック底面には、モルタル充填用のくぼみ部が形成されており、モルタルを充填する際には、このくぼみ部と、このくぼみ部の両側に配置された横目地部とにモルタルを充填して接着させるようにしている。
【０００７】
ところが、施工者によっては、モルタルを、くぼみ部分に充填せずに、その両側の横目地部分のみに充填して施工するというような粗悪な施工が成されることも多々ある。
【０００８】
このように、かさ木ブロックとその下方のブロックとの間で、上下方向で対向する横目地部分のみにモルタルを充填した粗悪な施工がなされた場合、時間が経つにつれて、結合強度が低下し、子供がかさ木の上に乗って遊んだりして、かさ木ブロックに外力がかかったときに、横目地部分のみでその外力に対する抗力を負担する結果、モルタルが剥離し、がたつきや浮きが生じるという問題や、最終的に、かさ木ブロックが脱落するおそれがあるという問題があった。
【０００９】
そこで、この発明は、モルタルによるかさ木ブロックとその下方のブロックとの結合強度を高めることができ、かつ、粗悪な施工の発生の抑止効果を得ることができるかさ木ブロックおよびブロック塀構造を提供することを目的としている。
【課題を解決するための手段】
【００１０】
この目的を達成するため、この発明は、ブロック塀の上端部に設置され、その下方に配置されたブロックの横筋部との間にモルタルを充填して接着されるかさ木ブロックであって、前記ブロックの横筋部に対向されるかさ木ブロックの底面に、前記モルタルの充填用のモルタル用溝を形成したことを特徴とするかさ木ブロックとした。
【発明の効果】
【００１１】
この発明の構成によれば、かさ木ブロックの底面に複数のモルタル用溝を形成したため、このモルタル用溝を形成しない従来技術と比較して、かさ木ブロックにおけるモルタルとの接触面積が増加し、モルタルの付着力および剪断力が増大し、経時劣化が生じにくくなり、かつ、外力が入力した際にも、この入力を分散し、モルタルの剥離を抑制することができる。
【００１２】
さらに、かさ木ブロック底面と、その下方のブロック横筋部との間にモルタルを充填する施工時には、かさ木ブロック底面に複数のモルタル用溝が形成されているため、施工者に対して、これらのモルタル用溝が形成されている部分にモルタルを充填することを、認識および啓発する効果が得られ、これにより、モルタル充填範囲が不適切な粗悪な施工を抑制することができる。
【００１３】
上述の効果に加え、請求項２に記載の発明では、かさ木ブロックの横目地部分のモルタルによる結合強度を向上させることができる。また、横目地部の間のくぼみ部などにモルタルを充填しない粗悪な施工が成された場合でも、横目地部の結合強度が従来よりも高まることにより、かさ木ブロックの破損や脱落を抑制する効果が得られる。
【００１４】
請求項３に記載の発明では、くぼみ部における結合強度を向上させることができる。
【００１５】
請求項４に記載の発明では、モルタル用溝がかさ木ブロックの長手方向に形成されていることで、この長手方向に直交する幅方向への入力に対する抗力を向上できる。
【００１６】
請求項５に記載の発明では、モルタル用溝を多角形形状に形成しているため、モルタルとの付着面積を多く確保でき、結合強度をさらに高めることができる。
【００１７】
請求項６に記載の発明では、くぼみ部がかさ木ブロックの他端面に露出しないため、ブロック塀の端部に配置したときの外観品質に優れる。
【発明を実施するための最良の形態】
【００１８】
以下、この発明の実施の形態を図面に基づいて説明する。
（実施の形態１）
実施の形態１のかさ木ブロック２を用いたブロック塀構造について説明する。
【００１９】
図２および図３に示す実施の形態１のブロック塀構造を有するブロック塀Ａは、地盤Ｂ中に形成したコンクリート製の基礎Ｃの上に、化粧ブロック１を積み上げ、その天端に、実施の形態１のかさ木ブロック２を並べて形成している。
【００２０】
なお、ブロック塀Ａは、図３に示すように、基礎Ｃの２箇所と、化粧ブロック１を積み上げた部分において、上下方向の上端・中間・下端の３箇所のモルタルの中に横筋３が略水平方向に延在されている。さらに、これらの横筋３は、各化粧ブロック１と化粧ブロック１とを隣り合わせに施工した際に形成される空間部に配置した縦筋４に掛けられ、また、空間部にはモルタルが充填されている。
【００２１】
図１はブロック塀Ａの最上部に配置された化粧ブロック１の上面部分である横筋部と、かさ木ブロック２の底面と、の結合部分を示している。コンクリート製のものを用いており、図示のように、略直方体に形成され、この化粧ブロック１の横筋部には、幅方向（矢印Ｈ方向）の中央部において、長手方向（矢印Ｌ方向）の全長に亘って断面略Ｕ字状のくぼみ部１ａが形成され、このくぼみ部１ａの両側には平面状の横目地部１ｂ，１ｂが形成されている。
【００２２】
かさ木ブロック２は、化粧ブロック１と比較して、僅かに幅広で、かつ、上下方向寸法が略１／２〜１／３の直方体形状に形成されている。
【００２３】
また、かさ木ブロック２の底面には、くぼみ部２ａと横目地部２ｂ，２ｂが形成されている。くぼみ部２ａは、かさ木ブロック２の幅方向略中央に配置されているとともに、幅方向に沿って切断した断面形状が略台形形状に形成され、かつ、図４に示すように、長手方向の全長に亘って形成されている。横目地部２ｂ，２ｂは、くぼみ部２ａの幅方向（矢印Ｈ方向）両側において化粧ブロック１の横目地部１ｂ，１ｂと対向する平面状に形成されている。
【００２４】
さらに、かさ木ブロック２のくぼみ部２ａの天井部分（上端面部分）と両横目地部２ｂ，２ｂとに、それぞれ複数のモルタル用溝２ｃが形成されている。モルタル用溝２ｃは、それぞれ、図１に示すように３面で囲まれた略台形断面形状に形成され、図４に示すように、かさ木ブロック２の全長に亘って形成されており、かつ、くぼみ部２ａには３本、横目地部２ｂ，２ｂには、２本ずつ形成されている。
【００２５】
また、図５に示すのは、コーナー用かさ木ブロック２０である。このコーナー用かさ木ブロック２０は、くぼみ部２０ａの一端が、コーナー用かさ木ブロック２０の長手方向の一端面２０ｄまで形成されているのに対し、くぼみ部２０ａの他端２０ｂは、コーナー用かさ木ブロック２０の他端面２０ｃに現れないようこの他端面２０ｃの手前に配置されている。
【００２６】
そして、モルタル用溝２ｃは、横目地部２０ｂには、かさ木ブロック２と同様に２本形成されているが、くぼみ部２０ａにあっては、くぼみ部２０ａの他端２０ｂの位置で止められ、他端面２０ｃには現れないよう形成されている。
【００２７】
上述のコーナー用かさ木ブロック２０およびかさ木ブロック２は、モルタル５により化粧ブロック１に結合されている。すなわち、図１に示すように、化粧ブロック１の上面全体とかさ木ブロック２の底面全体との間には、モルタル５が充填されている。
【００２８】
このモルタル５は、両ブロック１，２のくぼみ部１ａ，２ａの間、および、両ブロック１，２の横目地部１ｂ、２ｂの間に充填され、さらに、かさ木ブロック２の底面にあっては、全てのモルタル用溝２ｃ，２ｄの中に充填されている。
【００２９】
なお、モルタル５としては、セメントと細骨材とを混合したものに水を加えたもので、セメントと細骨材との割合が、１：２．５〜３．０のものを用いている。
【００３０】
次に、実施の形態１のかさ木ブロック２，２０の製造手順を、図６に基づいて説明する。
【００３１】
このかさ木ブロック２，２０としては、即時脱型コンクリート製品を用いており、まず、図６に示すパレット６１上に配置された型枠６に、骨材、セメント、混和材、顔料、水を混練したコンクリート材料Ｄを供給する。この実施の形態１では、このコンクリート材料Ｄとして、水をわずかしか含まないスランプ値０のものを用いる。
【００３２】
次に、プレス機７の押し型７１によりコンクリート材料Ｄをプレスし、さらに振動を与え、成形する。
【００３３】
次に、成型品を脱型する。この際、上記のようにコンクリート材料Ｄとして、スランプ値０のものを用いているため、脱型してもコンクリートが流れたり崩れたりすることが無い。
【００３４】
その後、成型品を養生させ、実施の形態１のかさ木ブロック２として仕上がる。
【００３５】
上述のかさ木ブロック２をブロック塀Ａに結合させる施工時には、まず、化粧ブロック１の上面に位置する横筋部および横目地部と、かさ木ブロック２の底面と、のそれぞれにモルタル５を盛り付ける。
【００３６】
この際、かさ木ブロック２にあっては、底面のくぼみ部２ａと横目地部２ｂとの両方に盛り付けるもので、この際、それぞれに形成されたモルタル用溝２ｃの中にも充填させる。ここで、モルタル用溝２ｃは、くぼみ部２ａの天井部分にも形成されていることから、施工者に対して、くぼみ部２ａにモルタル５を充填しなければならないことを、認識および啓発する効果が得られ、くぼみ部２ａへのモルタル５の充填忘れを抑制できる。
【００３７】
そして、上記のようにモルタル５を盛り付けた化粧ブロック１の横筋部に、かさ木ブロック２の底面のモルタル５を押し付け、図１に示す結合状態とする。
【００３８】
こうしてブロック塀Ａの上端に沿って設置されたかさ木ブロック２にあっては、モルタル用溝２ｃを形成したため、このモルタル用溝２ｃを形成しない構造と比較して、かさ木ブロック２におけるモルタル５との接触面積が増加し、モルタル５の付着力および剪断力が増大し、経時劣化が生じにくくなり、かつ、外力が入力した際にも、この入力を分散し、モルタル５の剥離を抑制することができる。
【００３９】
以上説明したように、本実施の形態１のかさ木ブロック２にあっては、モルタル用溝２ｃを形成したことにより、モルタル５の付着力および剪断力を増大でき、ブロック塀Ａの上端部に配置された化粧ブロック１との結合強度を向上させることができる。
【００４０】
さらに、本実施の形態１のかさ木ブロック２では、幅方向中央にくぼみ部２ａを形成しているため、このくぼみ部２ａにモルタル５を充填することで、くぼみ部２ａを有しない構成に比べ、高い結合強度が得られ、これに加え、モルタル用溝２ｃを、幅方向中央のくぼみ部２ａと、その両側の横目地部２ｂ，２ｂと、に形成しているため、上述の結合強度の増大を、くぼみ部２ａと横目地部２ｂ，２ｂとの両方で得ることができ、強固な結合が得られる。
【００４１】
そして、本実施の形態１のかさ木ブロック２では、モルタル用溝２ｃを、その幅方向で切断した断面形状が多角形である台形形状に形成したため、断面形状を三角形状や半円形状に形成した場合に比べて、モルタル５との接触面積を多く確保でき、これにより結合強度の向上を図ることができる。
【００４２】
さらに、上述したようにモルタル用溝２ｃによりモルタル５の充填を、認識および啓発し、これにより、モルタル５の充填が不十分な粗悪な施工の抑制効果が得られる。特に、本実施の形態１では、くぼみ部２ａと横目地部２ｂ，２ｂの両方に設けたため、両者へのモルタル５の充填忘れを抑止する効果が得られる。また、くぼみ部２ａにモルタル５を充填しない粗悪な施工が成された場合にあっても、化粧ブロック１と上下方向で対向する横目地部２ｂのモルタル用溝２ｃにモルタル５が充填されることで、上下方向のモルタル５との接着面が得られ、モルタル用溝２ｃを設けない従来技術と比較して、モルタル５の付着力および剪断力が増大して、接合強度を向上させることができる。
【００４３】
しかも、本実施の形態１のかさ木ブロック２にあっては、各モルタル用溝２ｃを、かさ木ブロック２の長手方向の全長に亘って形成しているため、モルタル５は、隣り合うかさ木ブロック２のモルタル用溝２ｃ内に配置されたものどうしが連結され、これにより、隣り合うかさ木ブロック２どうしの結合強度も向上する。
【００４４】
そして、本実施の形態１においてコーナー用かさ木ブロック２０は、くぼみ部２ａおよびこのくぼみ部２ａに形成されたモルタル用溝２ｃが、他端面２０ｃに現れないように形成しているため、ブロック塀Ａの端部では、このコーナー用かさ木ブロック２０を設置することにより、くぼみ部２ａに充填するモルタル５が外表面に現れることがないようにでき、これにより外観品質の向上を図ることができる。
【００４５】
（他の実施の形態）
以下に、他の実施の形態について説明する。なお、他の実施の形態を説明するにあたり、実施の形態１と同一ないし均等な部分については、同一符号を付すことで説明を省略し、構成の相違する部分を中心に説明する。
【００４６】
図７は実施の形態２のかさ木ブロック２０２の底面を示す底面図であり、モルタル用溝２０２ｃは、同一線上に非連続的に形成されている。なお、この図では、モルタル用溝２０２ｃは、１本のみを示し一点鎖線よりも下側の表示は省略しているが、実施の形態１と同様に図示を省略したくぼみ部２０ａを含め、実施の形態１と同数設けられているものとする。
【００４７】
図８は実施の形態３のかさ木ブロック３０２の底面を示す底面図であり、断面が逆椀形状を成すくぼみ部３０２ａが、同一線上に非連続的に形成されている。また、この実施の形態４では、モルタル用溝３０２ｃは、横目地部２ｂにあっては、実施の形態１と同様に形成しているが、中央部では、くぼみ部３０２ａの間のみに形成し、くぼみ部３０２ｃには形成していない。
【００４８】
次に、図９は、実施の形態４のかさ木ブロック５０２を示す側面図であり、実施の形態１との相違点は、モルタル用溝２ｃを、横目地部２ｂ，２ｂに形成せずに、くぼみ部２ａのみに形成した点である。
【００４９】
この実施の形態４にあっては、特に、くぼみ部２ａにモルタル５を充填することを認識および啓発する効果が得られる。
【００５０】
次に、図１０は、モルタル用溝の他の形態を示す。
（ａ）に示すモルタル用溝１０１は、幅方向の断面を三角形に形成した。
（ｂ）に示すモルタル用溝１０２は、幅方向の断面を四角形に形成した。
（ｃ）に示すモルタル用溝１０３は、幅方向の断面を四角形に形成し、角部は丸みを帯びた形状に形成した。
（ｄ）に示すモルタル用溝１０４は、幅方向の断面を逆台形に形成した。これにより、図示を省略したモルタル５を充填してモルタル５が硬化した状態では、かさ木ブロックが抜け方向に相対移動できなくなり、より高い脱落防止性能が得られる。
【００５１】
なお、このかさ木ブロックを製造する場合、モルタル用溝１０４の延在する方向に沿って型開きを行うようにする。
（ｅ）に示すモルタル用溝１０５は、（ｄ）に示すモルタル用溝１０４の周辺の角部を、丸みを帯びた形状に形成した。
（ｆ）に示すモルタル用溝１０６は、幅方向の断面を半円形状に形成した。
（ｇ）に示すモルタル用溝１０７は、幅方向断面を半楕円形状に形成した。
（ｈ）に示すモルタル用溝１０８は、幅方向断面を逆Ｕ字形状に形成した。
（ｊ）に示すモルタル用溝１０９および（ｋ）に示すモルタル用溝１１０は、実施の形態１で示した断面略台形の溝を２つ結合したもので、モルタル用溝１０９は、溝結合部分を鋭角の三角断面形状とし、モルタル用溝１１０は、溝結合部分を略Ｕ字断面形状とした。
【００５２】
以上、図面を参照して、本発明の実施の形態について詳述してきたが、具体的な構成は、この実施の形態に限らず、本発明の要旨を逸脱しない程度の設計的変更は、本発明に含まれる。
【００５３】
すなわち、実施の形態では、かさ木ブロック２を略直方体形状に形成したものを示したが、この形状に限定されるものではない。本発明のかさ木ブロックは、ブロック塀の上端部に配置されたブロックの横筋部に対向する底面を有し、この底面にモルタル用溝が形成されているものであれば、その側面や横筋部はどのような形状であってもよいものであり、幅方向の断面が三角のなどの他の多角形形状を有するものや、半円形、半楕円形、その他、意匠を表面に施したものなどに適用することができる。
【００５４】
また、実施の形態では、モルタル用溝として、かさ木ブロックの長手方向に延在させたものを示したがこれに限定されない。すなわち、長手方向に斜めに延在するもの、あるいはそれらをクロスさせたもの、長手方向に延びるものと、幅方向あるいは斜め方向に延在するものをクロスさせたものなどを用いることができる。その一例を図１１に示す、同図（ａ）は長手方向の溝と幅方向との溝とをクロスさせたモルタル用溝１２１、同図（ｂ）は斜め方向の溝をクロスさせたモルタル用溝１２２である。
【００５５】
また、実施の形態では、かさ木ブロックに形成するくぼみ部として、幅方向の断面が略台形のくぼみ部２ａや逆椀形状のくぼみ部３０２ａを示したが、この形状は、これに限定されない。すなわち、断面が長方形や五角形や逆Ｖ字の三角形などの他の多角形状や、半円、半楕円、逆Ｕ字など他の形状に形成してもよい。
【００５６】
また、実施の形態１で示したコーナー用かさ木ブロック２０において、図１２に示すように、くぼみ部２０ａの他端２０ｂと、コーナー用かさ木ブロック２０の他端面２０ｃとの間に、幅方向（Ｈ方向）のモルタル用溝２０ｄを形成してもよい。
【００５７】
また、実施の形態では、かさ木ブロック２，２０として、即時脱型コンクリート製品を示したが、水分量が多い流し込みコンクリートにより製造したものを用いてもよい。
【００５８】
また、モルタル用溝を、かさ木ブロックのみならず、その下方に位置する化粧ブロック１の横目地部１ｂにも形成しても効果的である。
【００５９】
また、図１３は、本発明のかさ木ブロックの他の実施の形態を示している。この図１３に示すかさ木ブロック６０２は、幅（Ｈ）方向の略中央位置に、長手（Ｌ）方向に、全長に亘り連続してあるいは断続的に、化粧ブロック１のくぼみ部１ａに収まる範囲で下方に凸状に形成された凸部６０２ａが形成されている。そして、この凸部６０２ａの側面および底面は、細かな略三角形断面形状のモルタル用溝６０２ｃが多数形成されることで、その表面がギザギザ状に形成されている。
【００６０】
したがって、化粧ブロック１とかさ木ブロック６０２との間にモルタル５を充填した際には、モルタル用溝２ｃ，６０２ｃにもモルタル５が充填されて、モルタル５との高い結合強度が得られる。
【００６１】
また、凸部６０２ａにあっては、ギザギザ状の多数のモルタル用溝６０２ｃにより、モルタル充填を認識および啓発する効果が得られる。
【図面の簡単な説明】
【００６２】
【図１】実施の形態１のかさ木ブロックを適用したブロック塀Ａにおける化粧ブロック１の横筋部とかさ木ブロック２の底面との結合部分を示す斜視図である。
【図２】上記ブロック塀Ａを示す正面図である。
【図３】上記ブロック塀Ａを示す縦断面図であって図２のＳ３−Ｓ３における切断面を示している。
【図４】実施の形態１のかさ木ブロック２の底面図である。
【図５】実施の形態１のコーナー用かさ木ブロック２０の底面図である。
【図６】実施の形態１のかさ木ブロック２，２０の製造方法を示す断面図である。
【図７】実施の形態２のかさ木ブロック２０２を示す底面図である。
【図８】実施の形態３のかさ木ブロック３０２を示す図であって、（ａ）は底面図、（ｂ）は側面図である。
【図９】実施の形態４のかさ木ブロック５０２を示す側面図である。
【図１０】モルタル用溝の他の形態を示す断面図である。
【図１１】モルタル用溝の他の形態を示す底面図である。
【図１２】実施の形態１で示したコーナー用かさ木ブロック２０の他の例を示す底面図である。
【図１３】他の実施の形態のかさ木ブロック６０２と化粧ブロック１との結合状態を示す斜視図である。
【符号の説明】
【００６３】
１                                                                              化粧ブロック
１ａ                                                                            くぼみ部
１ｂ                                                                            横目地部
２                                                                              かさ木ブロック
２ａ                                                                            くぼみ部
２ｂ                                                                            横目地部
２ｃ                                                                            モルタル用溝
５                                                                              モルタル
２０                                                                            コーナー用かさ木ブロック
２０ａ                                                                          くぼみ部
２０ｂ                                                                          他端
２０ｃ                                                                          他端面
１０１                                                                          モルタル用溝
１０２                                                                          モルタル用溝
１０３                                                                          モルタル用溝
１０４                                                                          モルタル用溝
１０５                                                                          モルタル用溝
１０６                                                                          モルタル用溝
１０７                                                                          モルタル用溝
１０８                                                                          モルタル用溝
１０９  モルタル用溝
１１０  モルタル用溝
１２１                                                                          モルタル用溝
１２２                                                                          モルタル用溝
２０２                                                                          かさ木ブロック
２０２ｃモルタル用溝
３０２                                                                          かさ木ブロック
３０２ａくぼみ部
５０２                                                                          かさ木ブロック
６０２                                                                          かさ木ブロック
６０２ｃモルタル用溝
Ａ                                                                              ブロック塀
【図１】
2007070876.tif 000003
【図２】
2007070876.tif 000004
【図３】
2007070876.tif 000005
【図４】
2007070876.tif 000006
【図５】
2007070876.tif 000007
【図６】
2007070876.tif 000008
【図７】
2007070876.tif 000009
【図８】
2007070876.tif 000010
【図９】
2007070876.tif 000011
【図１０】
2007070876.tif 000012
【図１１】
2007070876.tif 000013
【図１２】
2007070876.tif 000014
【図１３】
2007070876.tif 000015